【手続補正書】
【提出日】平成15年6月11日(2003.6.11)
【手続補正１】
【補正対象書類名】明細書
【補正対象項目名】特許請求の範囲
【補正方法】変更
【補正の内容】
【特許請求の範囲】
【請求項１】
フロアと、該フロア上に置かれるフロア敷物とを含む車両室内に物品を収納するための装置であって、
前記フロア敷物に枢着されていると共に、対向する前側面及び後側面並びに対向する第１端部及び第２端部を有している後部パネルを備え、該後部パネルは、前記前側面が前記フロア敷物に対して覆い被さる対面関係にある閉位置と、前記後部パネルが、前記フロア敷物に対して実質的に交差するように配置されていると共に、前記フロア敷物及び前記後部パネルにより部分的に囲まれていて内部に物品を受け入れるための収納室を画成する開位置との間で移動可能となっている、装置。
【請求項２】
前記後部パネルに取り付けられ、前記後部パネルを前記開位置に付勢するように構成された少なくとも１つの付勢装置を更に備えている、請求項１に記載の装置。
【請求項３】
前記フロア敷物は、前記後部パネルの前記後側面上に配置されている、請求項１に記載の装置。
【請求項４】
前記後部パネルの前記第１端部に移動可能に取り付けられた第１のエンドパネルを更に備え、該第１のエンドパネルは、前記後部パネルの前記前側面と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置に移動するようになっている、請求項１に記載の装置。
【請求項５】
前記後部パネルの前記第２端部に移動可能に取り付けられた第２のエンドパネルを更に備え、該第２のエンドパネルは、前記後部パネルの前記前側面と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置に移動するようになっている、請求項４に記載の装置。
【請求項６】
前記フロア敷物に移動可能に取り付けられた第１のエンドパネルを更に備え、該第１のエンドパネルは、前記フロア敷物と対面関係にある格納位置と、前記フロア敷物及び前記後部パネルに対して実質的に交差するように配置した使用位置との間を移動可能であると共に、前記第１のエンドパネルは、前記閉位置から前記開位置への前記後部パネルの移動に対応して前記格納位置から前記使用位置に移動するようになっている、請求項１に記載の装置。
【請求項７】
前記フロア敷物に移動可能に取り付けられた第２のエンドパネルを更に備え、該第２のエンドパネルは、前記フロア敷物と対面関係にある格納位置と、前記フロア敷物及び前記後部パネルに対して実質的に交差するように配置した使用位置との間を移動可能であると共に、前記第２のエンドパネルは、前記閉位置から前記開位置への前記後部パネルの移動に対応して前記格納位置から前記使用位置に移動するようになっている、請求項６に記載の装置。
【請求項８】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項１に記載の装置。
【請求項９】
前記仕切パネルに設けられた取扱部を更に備え、該取扱部は、ユーザーにより把持されて前記後部パネルを前記閉位置から前記開位置に移動するのに使用されるように構成されている、請求項８に記載の装置。
【請求項１０】
前記フロア敷物に移動可能に取り付けられた仕切パネルを更に備え、該仕切パネルは、前記フロア敷物と対面関係にある格納位置と、前記フロア敷物及び前記後部パネルに対して実質的に交差するように配置した使用位置との間を移動可能であると共に、前記仕切パネルは、前記使用位置にあるとき前記収納室を複数の室部分に分けている、請求項１に記載の装置。
【請求項１１】
前記フロア敷物と前記後部パネルの前記前側面とに取り付けられた可撓性材料を更に備え、該可撓性材料は、前記後部パネルが前記開位置に移動したときに前記収納室を複数の室部分に分割している、請求項１に記載の装置。
【請求項１２】
隣接した離間関係で前記フロア敷物に移動可能に取り付けられた一対の仕切パネルを更に備え、各仕切パネルは、前記フロア敷物と対面関係にある格納位置と、前記収納室を複数の室部分に分けるように前記フロア敷物及び前記後部パネルに対して実質的に交差して配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項１に記載の装置。
【請求項１３】
前記後部パネルの前記前側面から延びる１つ以上の突起部を更に備え、各突起部は、物品を該突起部に懸架して支持するように構成されている、請求項１に記載の装置。
【請求項１４】
前記後部パネルに取り付けられ、前記収納室と該収納室内に収納された物品とを囲むように構成された荷物用ネットを更に備えている、請求項１に記載の装置。
【請求項１５】
前記後部パネルを前記開位置に解除可能に固定するように構成されたロック部材を更に備えている、請求項１の装置。
【請求項１６】
フロアを含む車両室内に物品を収納するための装置であって、
前記フロア上に配置されていると共に、前記収納室に露出する表面を有しているベースと、
前記ベースに枢着されていると共に、対向する前側面及び後側面並びに対向する第１及び第２端部を有している後部パネルとを備え、該後部パネルは、前記前側面が前記ベースの表面に関して覆い被さる対面関係にある閉位置と、前記後部パネルが、前記ベースの表面に対して実質的に垂直に配置されていると共に、前記ベース及び前記後部パネルにより部分的に囲まれていて内部に物品を受け入れるための収納室を画成する開位置との間で移動可能となっている、装置。
【請求項１７】
前記後部パネルに取り付けられ、前記後部パネルを前記開位置に付勢するように構成された少なくとも１つの付勢装置を更に備えている、請求項１６に記載の装置。
【請求項１８】
前記ベースは、部分的に前記フロアの直下に配置されており、前記後部パネルは、前記閉位置にあるときに前記フロアと実質的に同一平面にある、請求項１６に記載の装置。
【請求項１９】
フロア敷物が前記フロア上と前記後部パネルの前記後側面上とに配置されており、前記後部パネルの前記後側面上の前記フロア敷物は、前記後部パネルが前記閉位置にあるときに、前記フロア上に配置された前記フロア敷物と実質的に同一平面にある、請求項１８に記載の装置。
【請求項２０】
前記ベースの表面は、水平に対して傾斜した方向性を有する部分を備えている、請求項１６に記載の装置。
【請求項２１】
前記後部パネルの前記第１端部に移動可能に取り付けられた第１のエンドパネルを更に備え、該第１のエンドパネルは、前記後部パネルの前記前側面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項１６に記載の装置。
【請求項２２】
前記後部パネルの前記第２端部に移動可能に取り付けられた第２のエンドパネルを更に備え、該第２のエンドパネルは、前記後部パネルの前記前側面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項２１に記載の装置。
【請求項２３】
前記ベースに移動可能に取り付けられた第１のエンドパネルを更に備え、該第１のエンドパネルは、前記ベースの表面と対面関係にある格納位置と、前記ベースの表面及び前記後部パネルに対して実質的に垂直に配置した使用位置との間を移動可能であると共に、前記第１のエンドパネルは、前記閉位置から前記開位置への前記後部パネルの移動に対応して前記格納位置から前記使用位置へと移動するようになっている、請求項１６に記載の装置。
【請求項２４】
前記ベースに移動可能に取り付けられた第２のエンドパネルを更に備え、該第２のエンドパネルは、前記ベースの表面と対面関係にある格納位置と、前記ベースの表面及び前記後部パネルに対して実質的に垂直に配置した使用位置との間を移動可能であると共に、前記第２のエンドパネルは、前記閉位置から前記開位置への前記後部パネルの移動に対応して前記格納位置から前記使用位置へと移動するようになっている、請求項２３に記載の装置。
【請求項２５】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項１６に記載の装置。
【請求項２６】
前記仕切パネルに設けられた取扱部を更に備え、該取扱部は、ユーザーにより把持されて前記後部パネルを前記閉位置から前記開位置に移動するのに使用されるように構成されている、請求項２５に記載の装置。
【請求項２７】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項１６に記載の装置。
【請求項２８】
前記ベースと前記後部パネルの前記前側面とに取り付けられた可撓性材料を更に備え、該可撓性材料は、前記後部パネルが前記開位置に移動したときに前記収納室を複数の室部分に分割している、請求項１６に記載の装置。
【請求項２９】
隣接した離間関係で前記ベースの表面に移動可能に取り付けられた一対の仕切パネルを更に備え、各仕切パネルは、前記ベースの表面と対面関係にある格納位置と、前記収納室を複数の室部分に分けるように前記ベースの表面及び前記後部パネルに対して実質的に垂直に配置した使用位置との間を移動可能であり、
前記仕切パネルの対に設けられた取扱部を更に備え、該取扱部は、ユーザーにより把持されて前記仕切パネルを前記格納位置から前記使用位置に移動させるように構成されている、請求項１６に記載の装置。
【請求項３０】
前記後部パネルの前記前側面から延びる１つ以上の突起部を更に備え、各突起部は、物品を該突起部に懸架して支持するように構成されている、請求項１６に記載の装置。
【請求項３１】
前記後部パネルに取り付けられ、前記収納室と該収納室内に収納された物品とを囲むように構成された荷物用ネットを更に備えている、請求項１６に記載の装置。
【請求項３２】
前記後部パネルを前記開位置に解除可能に固定するように構成されたロック部材を更に備えている、請求項１６に記載の装置。
【請求項３３】
フロアを含む車両室内に物品を収納するための装置であって、
前記フロア上に配置されていると共に、収納室に露出する表面を有しているベースを備え、
前記ベースに枢着されていると共に、対向する前側面及び後側面、対向する第１及び第２端部並びに対向する縁部を有している後部パネルを備え、該後部パネルは、前記前側面が前記ベースの表面に関して覆い被さる対面関係にある閉位置と、前記後部パネルが前記ベースの表面に対して実質的に垂直に配置される開位置との間を移動可能であり、
前記後部パネルに設けられ、ユーザーにより把持されるように構成されている取扱部を備え、
前記後部パネルの前記第１及び第２端部にそれぞれ移動可能に取り付けられた第１及び第２のエンドパネルを備え、該第１及び第２のエンドパネルのそれぞれは、前記後部パネルの前記前側面と対面関係にある格納位置と、実質的に水平の離間関係で前記ベースの表面及び前記後部パネルに対して実質的に垂直に配置した使用位置との間を移動可能であると共に、前記第１及び第２のエンドパネルは、前記取扱部による前記閉位置から前記開位置への前記後部パネルの移動に対応してそれぞれの前記格納位置から前記使用位置に移動し、前記ベース、前記後部パネル並びに前記第１及び第２のエンドパネルが内部に物品を受け入れるための収納室を画成している、装置。
【請求項３４】
前記後部パネルに取り付けられ、前記後部パネルを前記開位置に付勢するように構成された少なくとも１つの付勢装置を更に備えている、請求項３３に記載の装置。
【請求項３５】
前記ベースは、部分的に前記フロアの直下に配置されており、前記後部パネルは、前記閉位置にあるときに前記フロアと実質的に同一平面にある、請求項３３の装置。
【請求項３６】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項３５に記載の装置。
【請求項３７】
前記ベースの表面は傾斜構造を有する部分を備えている、請求項３３に記載の装置。
【請求項３８】
前記後部パネルの前記前側面に移動可能に取り付けられた仕切パネルを更に備え、該仕切パネルは、前記閉位置から前記開位置への前記後部パネルの移動に対応して、前記後部パネルの前記前側面と対面関係にある格納位置と、前記ベースの表面及び前記後部パネルに対して実質的に垂直に配置した使用位置との間を移動可能であると共に、前記仕切パネルは、前記使用位置にあるとき前記収納室を複数の室部分に分けている、請求項３３に記載の装置。
【請求項３９】
前記ベースの表面に移動可能に取り付けられた仕切パネルを更に備え、該仕切パネルは、前記ベースの表面と対面関係にある格納位置と、前記ベースの表面及び前記後部パネルに対して実質的に垂直に配置した使用位置との間を移動可能であると共に、前記仕切パネルは、前記収納室を複数の室部分に分けている、請求項３３に記載の装置。
【請求項４０】
前記後部パネルの前記前側面から延びる１つ以上の突起部を更に備え、各突起部は、物品を該突起部に懸架して支持するように構成されている、請求項３３に記載の装置。
【請求項４１】
前記後部パネルに取り付けられ、前記収納室と該収納室内に収納された物品とを囲むように構成された荷物用ネットを更に備えている、請求項３３に記載の装置。
【請求項４２】
前記後部パネルを前記開位置に解除可能に固定するように構成されたロック部材を更に備えている、請求項３３に記載の装置。
【請求項４３】
前記ベースと前記後部パネルの前記前側面とに取り付けられた可撓性材料を更に備え、該可撓性材料は、前記後部パネルが前記開位置に移動したときに前記収納室を複数の室部分に分割している、請求項３３に記載の装置。
【請求項４４】
フロアを含む車両室内に物品を収納するための装置であって、
前記フロア上に配置されていると共に、収納室に露出する表面を有しているベースを備え、
前記ベースに枢着されていると共に、対向する前側面及び後側面、対向する第１及び第２端部並びに対向する縁部を有する後部パネルを備え、該後部パネルは、前記前側面が前記ベースの表面に対して覆い被さる対面関係にある閉位置と、前記後部パネルが前記ベースの表面に対して実質的に垂直に配置される開位置との間を移動可能であり、
前記後部パネルの前記前側面に移動可能に取り付けられた仕切パネルを備え、該仕切パネルは、前記後部パネルの前記前側面と対面関係にある格納位置と、前記ベースの表面及び前記後部パネルに対して実質的に垂直に配置した使用位置との間を移動可能であり、
前記後部パネルの前記第１及び第２端部にそれぞれ移動可能に取り付けられた第１及び第２のエンドパネルを備え、該第１及び第２のエンドパネルのそれぞれは、前記後部パネルの前記前側面と対面関係にある格納位置と、実質的に水平の離間関係で前記ベースの表面及び前記後部パネルに対して実質的に垂直に配置した使用位置との間を移動可能であり、
前記格納位置から前記使用位置への前記仕切パネルの移動により、前記後部パネルを前記閉位置から前記開位置に移動させ、更に前記第１及び第２のエンドパネルをそれぞれの前記格納位置から前記使用位置に移動させて収納室を画成している、装置。
【請求項４５】
前記後部パネルに取り付けられ、前記後部パネルを前記開位置に付勢するように構成された少なくとも１つの付勢装置を更に備えている、請求項４４に記載の装置。
【請求項４６】
前記仕切パネルに設けられた取扱部を更に備え、該取扱部は、ユーザーにより把持されて前記格納位置から前記使用位置への前記仕切パネルの移動を容易にするように構成されている、請求項４４に記載の装置。
【請求項４７】
前記ベースは、部分的に前記フロアの直下に配置されており、前記後部パネルは、前記閉位置にあるときに前記フロアと実質的に同一平面にある、請求項４４に記載の装置。
【請求項４８】
フロア敷物が前記フロア上と前記後部パネルの前記後側面上とに配置されており、前記後部パネルの前記後側面上の前記フロア敷物は、前記後部パネルが前記閉位置にあるときに前記フロア上に配置された前記フロア敷物と実質的に同一平面にある、請求項４４に記載の装置。
【請求項４９】
前記ベースの表面は、傾斜構造を有する部分を備えている、請求項４４に記載の装置。
【請求項５０】
前記後部パネルの前記前側面から延びる１つ以上の突起部を更に備え、各突起部は、物品を該突起部に懸架して支持するように構成されている、請求項４４に記載の装置。
【請求項５１】
前記後部パネルに取り付けられ、前記収納室と該収納室内に収納された物品とを囲むように構成された荷物用ネットを更に備えている、請求項４４に記載の装置。
【請求項５２】
前記後部パネルを前記開位置に解除可能に固定するように構成されたロック部材を更に備えている、請求項４４に記載の装置。
【請求項５３】
前記ベースと前記後部パネルの前記前側面とに取り付けられた可撓性材料を更に備え、該可撓性材料は、前記後部パネルが前記開位置に移動したときに前記収納室を複数の室部分に分割している、請求項４４に記載の装置。
【請求項５４】
フロアを含む車両室内に物品を収納するための装置であって、
前記フロア上に配置されていると共に、対向する第１及び第２端部、対向する第１及び第２縁部、並びに収納室に露出する表面を有しているベースと、
それぞれ前記第１及び第２端部の近くで前記ベースの表面から延びる第１及び第２の伸張式壁体と、
前記ベースに枢着されていると共に、対向する第１及び第２端部を有しているパネルを備え、該パネルの前記第１及び第２端部は、それぞれ前記第１及び第２の伸張式壁体に接続されており、前記パネルは、前記ベースの表面と覆い被さる対面関係にある閉位置と、前記ベースの表面に対して実質的に交差するように配置した開位置との間を移動可能であり、前記ベース、第１及び第２の伸張式壁体並びにパネルが内部に物品を受け入れるための１つ以上の収納室を画成している、装置。
【請求項５５】
前記パネルに取り付けられ、前記パネルを前記開位置に付勢するように構成された少なくとも１つの付勢装置を更に備えている、請求項５４に記載の装置。
【請求項５６】
前記パネルはそこに貫通形成された開口を備えており、該開口に覆い被さる荷物用ネットを更に備えている、請求項５４に記載の装置。
【請求項５７】
前記パネルを前記開位置に解除可能に固定するように構成されたロック部材を更に備えている、請求項５４に記載の装置。
【請求項５８】
前記伸張式壁体は、前記パネルが前記閉位置から前記開位置に移動するときに積重関係から扇形の関係に移動するように構成された複数の部材を備えている、請求項５４に記載の装置。
【請求項５９】
前記伸張式壁体は荷物用ネットを備えている、請求項５４に記載の装置。
【請求項６０】
フロアを含む車両室内に物品を収納するための装置であって、
隣接した離間関係で前記フロアに枢着されている複数の細長いパネルを備え、各パネルは、対向する前側面及び後側面を備え、前記複数のパネルは、閉位置及び開位置の間を一括して移動可能であり、各パネルの前記前側面は、前記閉位置にあるときに前記フロアと覆い被さる対面関係にあり、前記複数のパネルは、前記開位置にあるときに前記フロアに対して実質的に交差するように一括して配置され、内部に物品を受け入れるための複数の収納室を画成している、装置。
【請求項６１】
１つ以上のパネルに取り付けられ、該パネルを前記開位置に付勢するように構成された少なくとも１つの付勢装置を更に備えている、請求項６０に記載の装置。
【請求項６２】
フロア敷物が前記フロア上に配置されており、該フロア敷物は、前記パネルのうちの１つ以上のパネルの前記後側面上に配置されている、請求項６０に記載の装置。
【請求項６３】
前記複数のパネルは、実質的に平行な離間関係にある、請求項６０に記載の装置。
【請求項６４】
前記複数のパネルを前記閉位置及び前記開位置間に一括して移動するように構成された取扱部を更に備えている、請求項６０に記載の装置。
【請求項６５】
フロアを含む車両室内に物品を収納するための装置であって、
前記フロアに枢着されていると共に、該フロアと対面接触関係にある格納位置と、前記フロアと離間した対面関係にある使用位置との間を移動可能である細長いパネルを備えており、該パネルがテーブル及び／又は棚の機能を果たすことができるようになっている、装置。
【請求項６６】
前記パネルに設けられた取扱部を更に備え、該取扱部は、ユーザーにより把持されて前記パネルを前記格納位置及び前記使用位置の間を移動させるように構成されている、請求項６５に記載の装置。
【請求項６７】
フロア敷物が前記フロア上に配置されており、該フロア敷物は、前記パネル上に配置されている、請求項６５に記載の装置。
【請求項６８】
フロアを含む車両室内に物品を収納するための装置であって、
前記フロアに枢着されている複数の壁体を備え、該壁体は、折り畳まれた平らな形態で前記フロアに覆い被さると共に、広げると内部に物品を受け入れるための収納室になるように構成されている、装置。
【請求項６９】
前記壁体の１つに設けられた取扱部を更に備え、該取扱部は、ユーザーにより把持されて前記複数の壁体を広げて収納室にするように構成されている、請求項６８に記載の装置。